(57)【要約】硬い布地支持要素を有する柔らかい布地製の衣服。第１の布地が主衣服を形成し、第１の布地よりも硬い第２の布地で形成された少なくとも１つの支持パネルに、主衣服の選択された部分が固着されて、選択された部分の形状に追加の構造を付与する。【選択図】図１
2022500566.tif 000002
【特許請求の範囲】
【請求項１】
第１の布地と、
第２の布地で形成され、前記第１の布地の選択された部分が固着された少なくとも１つの支持片であって、前記第２の布地は、前記第１の布地よりも硬い、少なくとも１つの支持片と
を備える、衣服。
【請求項２】
前記第１の布地は、柔らかい布地であり、前記第２の布地は、硬い布地である、請求項１に記載の衣服。
【請求項３】
前記第２の布地は、前記第１の布地よりも少なくとも約１５％硬い、請求項２に記載の衣服。
【請求項４】
前記第２の布地は、幅方向において前記第１の布地よりも少なくとも約１５％硬く、長さ方向において前記第１の布地よりも少なくとも約１５％硬い、請求項２に記載の衣服。
【請求項５】
上襟を含み、前記支持片は、
前記第２の布地で形成され、前記上襟が固着された上襟支持体を含む、請求項１に記載の衣服。
【請求項６】
前記支持片は、
前記第２の布地で形成され、前記上襟および前記上襟支持体が固着された襟腰を備える、請求項３に記載の衣服。
【請求項７】
前立てと、
前記第２の布地で形成され、前記前立ての下に固着された前立て支持体と
をさらに備える、請求項１に記載の衣服。
【請求項８】
袖端部にそれぞれ形成された一対の袖口と、
各々が前記第２の布地で形成され、各々が前記一対の袖口のそれぞれの下に固着される、一対の袖口支持体と
をさらに備える、請求項１に記載の衣服。
【請求項９】
第１の布地と、
第２の布地で形成され、前記第１の布地の選択された部分が固着された少なくとも１つの支持要素であって、前記第２の布地は、前記第１の布地よりも少なくとも約１５％硬い、少なくとも１つの支持要素と
を備える、衣服。
【請求項１０】
前記第２の布地は、幅方向において前記第１の布地よりも少なくとも約１５％硬く、長さ方向において前記第１の布地よりも少なくとも約１５％硬い、請求項９に記載の衣服。
【発明の詳細な説明】
【技術分野】
【０００１】
本開示は、全般的に、衣服製造の分野に関し、より具体的には、より柔らかい布地で作製された衣服の重要領域に構造的支持を付与するための硬い布地の使用に関する。
【背景技術】
【０００２】
衣類において、最も望ましく、最も柔らかい布地のいくつかは、最小限の剛性または構造的支持を有する。特に、手触りの柔らかさは、布地の剛性に直接比例することが多い。最も人気があって、需要の多い柔らかい繊維の１つは、カシミヤであり、それ自体を衣服として形成するのではなく、剛性がほとんどなく身体を覆いやすい繊維である。したがって、最終衣服の外観は、あまり均整の取れたものではなく、衣服の下の人の体型が表に出てしまうものである。
【０００３】
特に、男性用衣類では、硬い構造を高く評価するという長い伝統がある。この１つの例は、最高級の男性用服地に使用されるキャンバスである。男性用服地自体は繊細で柔らかいので、馬毛キャンバスが布地の層間に追加されて、見頃および下襟に追加の剛性形態を付与する。結果として得られるスーツは、スーツの下にある身体の形状を隠す、はるかに均整の取れた外観を呈する。
【発明の概要】
【発明が解決しようとする課題】
【０００４】
しかしながら、キャンバスのこの望ましい効果には、根本的な欠点がある。１つは、衣服の洗浄および管理がはるかに困難になることである。キャンバスが接着剤で取り付けられる場合、接着が弱くなるので、洗浄プロセス中に多量の熱が加えられた場合に、衣服の外側層に泡立ち効果が生じ得る。代替形態は、手作業でキャンバスを取り付けることであり、これは、完全に習得するのに数年の訓練を必要とする長く骨の折れるプロセスであり、各衣服に多大な経済的投資がなされる。別の欠点は、衣服にかなりの重量および加温特性を付与するということである。キャンバスは、多くの場合、裏地または見頃布地よりも重くなり得る。さらに難しいのは、キャンバスが見頃布地の相対重量に一致する必要があること、または見頃布地自体に継ぎ目のしわができることである。追加の層はまた、異なる気候における衣服の着用性をさらに制限する可能性があるので、常に有益であるとは限らないさらなる加温特性を付与し得る。
【０００５】
別の欠点は、キャンバスの構造においては、より硬い構造が必要であるどの領域に対してどの領域を覆いたいかに関して、デザイナーはほとんど調節ができないということである。カシミヤ、絹、またはモヘアなどのいくつかの柔らかい繊維における価値の一部は、自然と垂れ下がることができることであり、それに対して硬い布地または付加物はその性質を持たない。
【０００６】
完全にキャンバスで覆われたジャケットは鎧のようなものであると称されることが多いので、快適性は別の論点である。結果として得られる衣服は非常に硬いので、衣服内ではあまり動くことができず、柔軟性に欠ける。
【課題を解決するための手段】
【０００７】
これらの理由から、製造プロセスを容易にし、衣服の下の体型を隠す均整の取れた外観を依然として呈しながら、見頃布地が垂れ掛かるように、全体的な自由度をより高める形で衣服を構成する方法を有することが有益である。
【図面の簡単な説明】
【０００８】
【図１】裏襟、裏中央前立て、および裏袖口が組み入れられた硬い布地または皮革を有するジャケットの正面図である。
【図２】図１に示されているジャケットの側面図である。
【図３】図１に示されているジャケットの背面図である。
【発明を実施するための形態】
【０００９】
図１〜図３は、基本となる衣服１０、すなわちジャケットの正面図、左側面図、および背面図であり、重要領域に硬い布地または皮革パネルが追加されている。これらの硬い布地パネルは、それらが取り付けられる部分の見頃布地よりも大きい追加の構造要素を提供する限りにおいて、何らかの布地成分または皮革タイプのパネルであり得る。これらのパネルは、特に、図１に示されているように、隠し中央前立てが衣服に追加され得る場合、衣服を通常着用している間、大部分が隠され得る。構造要素は、色または質感が本体布地と一致する必要はなく、衣服のデザイナーの裁量で対比色であってもよい。
【００１０】
硬い布地と柔らかい布地との間の剛性については、布帛産業で一般的に使用されるような布地の剛性を試験および測定するための標準的な方法、すなわち、「Ｓｔａｎｄａｒｄ  Ｔｅｓｔ  Ｍｅｔｈｏｄ  ｆｏｒ  Ｓｔｉｆｆｎｅｓｓ  ｏｆ  Ｆａｂｒｉｃｓ」というＡＳＴＭ  Ｄ１３８８を用いて測定基準が確立される。この規格は、布地の長さ（横糸）方向および幅（縦糸）方向の両方における平均曲げ長さを測定するために、布地をそれ自体の質量下で試験するためにカンチレバー曲げの原理が使用される「カンチレバー試験」を記述している。縦糸／横糸における材料の曲げが少ないほど、立っているときの垂れ下がりまたはドレープが少なくなり、結果としてより硬くなる。したがって、測定可能な程度に高い剛性を有する第２の布地を、第１の「より柔らかい」布地から作製された主衣服と組み合わせると、第２の布地は、第１の布地のための構造的支持体として作用し、構造的に支持された要素上に形成されるドレープは少なくなる。
【００１１】
例えば、重要な部位のための硬い皮革製支持要素とカシミヤ布地との組み合わせは、望ましい構造を生み出す。カシミヤ布地の長さ方向の平均曲げ長さは２．５３ｃｍ、幅方向の平均曲げ長さは３．１３ｃｍである。皮革の長さ方向の平均曲げ長さは４．０４ｃｍであり、幅方向の平均曲げ長さは４．０６ｃｍである。共に規格に従って試験された、この硬い布地と柔らかい布地との組み合わせは、２つの布地間で幅方向（縦糸）の曲げでは０．９ｃｍの差を示し、２つの布地間で長さ方向（横糸）の曲げでは１．５ｃｍの差を示す。幅の差は、柔らかい布地に対する硬い布地の平均曲げ長さが３０％増加することを示しており、長さの差は、柔らかい布地に対する硬い布地の平均曲げ長さが６０％増加することを示している。ＡＳＴＭ  Ｄ１３８８カンチレバー試験の条件下では、布地が曲がる長さおよび幅が大きいほど、布の硬さが増加する。したがって、この例では、皮革は、横糸で３０％、縦糸で６０％だけカシミヤよりも測定可能な程度に硬い。
【００１２】
一般に、主衣服は、カシミヤ、絹またはモヘアなどの柔らかい布地から作製される。主衣服の１つまたは複数の重要な部分には、主衣服の重要な部分に追加の構造および剛性を付与するために、より硬い布地から作製されたパネルなどの支持要素、例えば、上襟支持体、襟腰、袖口支持体、前立て、または主衣服のための任意の他の所望の支持形状部が設けられる。支持パネルを形成する第２の布地は、主衣服を形成する第１の布地よりも少なくとも約１５％だけ測定可能な程度に硬い。より具体的には、硬い方の第２の布地は、柔らかい方の第１の布地に対して、幅方向および長さ方向の両方における平均曲げ長さの増加としてＡＳＴＭ  Ｄ１３８８に従って測定されるように、縦糸および横糸の両方において剛性が高くなる。上述の例では、硬い第２の布地は、柔らかい第１の布地よりも幅方向に３０％高い剛性を有し、長さ方向に６０％高い剛性を有する。
【００１３】
第１の布地よりも少なくとも約１５％高い剛性を有する第２の布地を使用して、布地の適切な組み合わせを衣服として提供することができると思われる。この場合、第１の布地は、主衣服を形成し、第２の布地は、第１の布地によって形成された基本衣服の重要な部位のための支持要素または構造となる。一般に、これは、硬い布地と柔らかい布地との間の剛性の差が縦糸および横糸の両方において少なくとも約１５％である必要があることを意味する。柔らかい布地と硬い布地との様々な組み合わせによって、異なる結果が得られる。
【００１４】
特定の布地の縦糸および横糸は、それらの測定値の各々に沿った剛性特性に有意に影響を及ぼし得るので、平均曲げ幅測定値および平均曲げ長さ測定値の両方を含むことが重要である。例えば、皮革は、これらの測定値に大きな影響を及ぼし得る天然の銀面を有する。
【００１５】
全ての３つの図に示されている上襟支持体２０は、通常、２つの上襟パネルの内側で融着可能なある種の合成または非合成キャンバスまたは布地接着剤を用いて作製される、追加の上襟、下襟、または首回り構造物を形成することができる。上襟支持体２０は、上述の規格と一致する、衣服の基本布地よりも高い剛性を有する皮革または別の布地から作製される。上襟支持体２０は、衣服の布地の上襟の下の所定の位置に縫い付けられ得る。さらに、襟腰２５もまた、上襟にさらなる支持を付与するために、上襟のすぐ下で衣服に組み入れられ得る。これらの支持片は、頑丈な作りを有するシャープな上襟形状および首周りのシャープな輪郭を形成することができる。
【００１６】
硬い布地はさらに、図１に示されているように、衣服の前身頃に構造を付与するように衣服の中央前立ての下に隠し前立て３０として組み入れられ得る。この部位は、着用者の身体の輪郭を隠す一方で、左側、右側、および背面が容易に垂れ掛かることができるようにし、そのことにより、この部位がなければキャンバス取り付けまたは融着によって隠れ得る主布地の滑らかさおよび何らかの特別な性質を示すことができる。この隠し前立てパネル３０は、衣服の全身用の中央支持梁となる。
【００１７】
追加の袖口支持体４０が袖口の下に組み入れられ得、このことにより、袖および袖ぐり全体が、硬くならずに、均整が取れて見えるように保たれる。衣服の袖は、腕の端部の袖口支持体４０によって全体的に均整の取れた外観を保ちながら、袖口に向かって下向きに垂れ下がる。
【００１８】
全体として、結果として得られる衣服は、追加の問題が生じることなく、通常であればはるかに硬く、製造するのに費用がかかり、洗浄がより難しいであろう衣服の均整の取れた外観を維持しながら、不定形の衣服のより高い運動性および高い快適さを有する。衣服に構造骨格を提供する一方で、柔らかい布地のドレープを示すことができる特有の能力は、この特有の構成方式の別のさらなる利点である。
【図１】
2022500566.tif 000003
【図２】
2022500566.tif 000004
【図３】
2022500566.tif 000005
【国際調査報告】
2022500566.tif 000006